(57)【要約】      （修正有）【課題】素足に対して滑り止めを施したスポーツシューズ及びその滑り止め装置を提供する。【解決手段】靴底に外被の周縁を固着したスポーツシューズにおいて、靴底２０のインソール２２の少なくとも足のつま先に対応する平面領域及び外被の内面に滑り止めエリアとなる領域２３、２４、２５等を画定する。これらの領域は、浅い窪みになっており、これらの窪みに両面に粘着剤層を有するシート状滑り止め部材を着脱自在に貼り付けることにより滑り止め装置を構成する。【選択図】図３
0003230307.tif 000002
【実用新案登録請求の範囲】
【請求項１】
靴底と、この靴底の周縁に固着された外被を備えたスポーツシューズにおいて、前記靴底のインソールの少くとも足のつま先に対応する平面領域に滑り止めエリアが任意形状に区画され、この滑り止めエリアと、平面形状がほぼ同形で表裏両面に粘着剤層を有するシート状滑り止め部材が着脱自在に付着されたスポーツシューズ。
【請求項２】
前記滑り止めエリアが深さ約０．１ｍｍ〜２ｍｍの窪みとして形成された請求項1に記載のスポーツシューズ。
【請求項３】
前記滑り止めエリアが前記外被の内面に形成され、この滑り止めエリアの外周から一定間隔内側に貫通窓が形成された請求項１または２に記載のスポーツシューズ。
【請求項４】
前記滑り止めエリアは平均粗さＲｚが２００μｍ以下の平坦面に形成された請求項１〜３のいずれかに記載のスポーツシューズ。
【請求項５】
スポーツシューズの靴底のインソールまたは靴底の周縁に固着された外被の内面に、足の表面の一部と対応して任意形状に画定された平面的な滑り止めエリアと、このエリアと平面形状がほぼ同形で表裏に粘着剤層を有するシート状滑り止め部材より成り、この滑り止め部材の表面の粘着剤層は前記足の表面の一部に密着し、裏面の粘着剤層は前記滑り止めエリアに密着し、いずれも着脱自在であるスポーツシューズの滑り止め装置。
【請求項６】
前記滑り止めエリアは深さ約０．１ｍｍ〜２ｍｍの窪みとして形成された請求項５に記載のスポーツシューズの滑り止め装置。
【請求項７】
前記外被の内面に区画された滑り止めエリアは、このエリア外周から一定間隔内側に貫通窓が形成された請求項５または６に記載のスポーツシューズの滑り止め装置。
【請求項８】
前記滑り止めエリアは平均粗さＲｚが２００μｍ以下の平坦面に形成された請求項５〜７のいずれかに記載のスポーツシューズの滑り止め装置。
【考案の詳細な説明】
【技術分野】
【０００１】
この考案は、ランニング等のスポーツを行なう際に、素足に装着するシューズに関し、特に素足とシューズの間の滑りを防止する装置に関する。
【背景技術】
【０００２】
素足に装着する靴や靴下などの被着物が素足との間で滑るのを防止する技術として、例えば特許文献１には、被着物の表面に直接粘着剤のような滑り止め剤を塗布する技術が開示されている。これに対して特許文献２は、シューズとは別体の中敷きに滑り止め機能を持たせるために、中敷きの表裏両面に滑り止めシートを貼り付ける技術を開示している。さらに、特許文献３には、靴下と素足の間に両面粘着テープを介在させる技術が開示されている。
【０００３】
いま、スポーツシューズの内面に粘着剤を直接塗工すれば、簡単に素足との滑りを防止することができる。しかし、使用頻度によって滑り止め機能が劣化した場合、機能の再生方法に問題が生じる。また、滑り止め機能を一時的に用いない、即ち停止する必要が生じた場合に対応することができない。
【０００４】
一方、中敷きはスポーツシューズの中底面に対して、着脱自在に装着することができるので、この中敷きの表裏両面に滑り止めシートを付着しておけば、滑り止め機能の劣化や、機能の選択に容易に対応することができる。しかしながら、必ずしも足裏全面に滑り止めを施す必要がない場合が多い。例えばランニングの際は、キック力をシューズを介してフィールドに効率的に伝達するため、足裏のつま先領域には滑り止めを施しておく必要があると思われるが、足裏の土ふまずのアーチ型領域は、全体として着地することがなく、かつアーチ型の弯曲が大きく変形するので、滑り止めを施す必要はないと考えられる。即ち足裏及び足の甲を含む足表面において、滑り止めを施すことによってランニングに効果を発揮する領域を特定することが可能である。他のスポーツにおいても、そのスポーツに特有の領域が考えられる。
【先行技術文献】
【特許文献】
【０００５】
【特許文献１】特表２０１８−５０５７６２号公報
【特許文献２】特開２０１７−２２１３２４号公報
【特許文献３】特許第６３０９６７８号公報
【考案の概要】
【考案が解決しようとする課題】
【０００６】
そこで、この考案の課題は、素足とシューズ内面との滑りを防止する効果的な領域に滑り止め部材を着脱自在に配置しようとすることである。
【課題を解決するための手段】
【０００７】
上記の課題を解決するために、この考案は、靴底と、この靴底の周縁に固着された外被を備えたスポーツシューズにおいて、前記靴底のインソールの少くとも足のつま先に対応する平面領域に滑り止めエリアが任意形状に区画され、この滑り止めエリアと平面形状がほぼ同形で表裏両面に粘着剤層を有するシート状滑り止め部材が着脱自在に付着された構成を採用したのである。
【０００８】
前記滑り止めエリアを深さ約０．１ｍｍ〜２ｍｍの窪みとして形成するのが好ましい。また平均あらさＲｚが２００μｍ以下の平坦面に形成するのがよい。さらに、滑り止めエリアを外被に設ける場合、エリア内に貫通窓を設けることができる。
【０００９】
この考案に係るスポーツシューズの滑り止め装置は、スポーツシューズの靴底のインソールまたは外被の内面に、足の表面の一部と対応して画定された平面的な滑り止めエリアと、このエリアと平面形状がほぼ同形で表裏に粘着剤層を有するシート状滑り止め部材より成り、この滑り止め部材の表面の粘着剤層は前記足の表面の一部に密着し、裏面の粘着剤層は前記滑り止めエリアに密着し、いずれも着脱自在になっている。
【００１０】
前記滑り止めエリアを深さ約０．１ｍｍ〜２ｍｍの窪みとするのがよい。また、滑り止めアリアは平均あらさＲｚが２００μｍ以下の平坦面に形成しておくのがよい。さらに、スポーツシューズの外被に滑り止めエリアを設ける場合、このエリア外周から一定間隔内側に貫通窓を設けることができる。
【考案の効果】
【００１１】
この考案によれば、スポーツの種類に応じて、特にシューズの滑り止めに有効なエリアを任意に選択し、効果的な形状に画定することができ、またシューズのクリーニングや修理等に際しては、滑り止め部材を取り外して行なうことができ、また滑り止め部材が劣化しても取り換えが簡単で費用の負担も少ない。
【図面の簡単な説明】
【００１２】
【図１】スポーツシューズの側面図、
【図２】スポーツシューズの平面図、
【図３】スポーツシューズの靴底のインソールを示す平面図、
【図４】スポーツシューズの外被の内面を現す側面図、
【図５】スポーツシューズの外被の別の内面を現す側面図、
【図６】（Ａ）は滑り止めエリアを示す断面図、（Ｂ）は他の滑り止めエリアを示す断面図、
【図７】（Ａ）は滑り止め部材を示す断面図、（Ｂ）は他の滑り止め部材を示す断面図、（Ｃ）は（Ｂ）の底面図、
【図８】（Ａ）は滑り止め部材を滑り止めエリアに嵌合した状態を示す断面図、（Ｂ）は（Ａ）の他の状態を示す断面図である。
【考案を実施するための形態】
【００１３】
以下、この考案の実施形態を添付図面に基づいて説明する。図１及び図２に示すように、スポーツシューズ１０は、靴底２０と外被３０を備え、靴底２０はフィールドや床面に接するアウトソール２１と足裏に接するインソール２２より成り、外被３０は外周縁が靴底２０の外周縁に接合され、内周縁は鍵孔形に開放されてはき口３０ａが形成されている。このはき口３０ａから足を挿入し、靴ひも３０ｂを引き締めることによって、外被３０を足の甲に密着させ、シューズ１０を足に装着する。なお、後述するが、インソール２２の内面に、着脱自在の中敷きを装着することができる。また、アウトソール２１の底面に、スパイク、スタッド、ポイント、ヒールプレート、ブレード、ディンプル（くぼみ）等が必要に応じて設けられる。
【００１４】
上記インソール２２の表面（足裏を接する面）に、表面のうねりに沿って滑り止めの平面領域を画定する。例えば、図３に示すように、足のトウ（ｔｏｅ）下面、土踏まず先端部、踵部のそれぞれに対応して、トウ領域２３、土踏まず先端領域２４、踵領域２５を画定する。これらの領域２３〜２５は、例えばトレーニングを行なう場合に、足裏がシューズ１０を介して特に強くフィールドや床面に圧接するエリアである。これら領域２３〜２５は一例であって、スポーツの種類に応じて、平面領域の形状範囲は当然異なり、また位置や個数が異なる場合もあり得る。
【００１５】
さらに、前記外被３０の内面にも滑り止め領域を設けることができる。例えば図４に示すように、足の母趾の基節骨外側面にほぼ対応して、母趾領域３１を設ける。この母趾領域３１内に、外被３０を貫通した窓３１ａを設けることができる。この場合、窓３１ａの外周縁と母趾領域３１の外周縁との間に、一定幅の環状帯３１ｂを設けておく。これ以外に、足の踵の内側面に対応して、踵側面領域３２、足の甲に対応した甲領域３３等を設けることができる。勿論、この領域３２、３３にも窓を設けることができる、前述のように、これらの領域３１、３２、３３は一例であって、形状範囲、位置、個数は、任意に選択可能である。従って足の小趾の基節骨及び踵の外側面に対応して滑り止め領域を設けることができる。
【００１６】
上記の領域２３〜２５、領域３１〜３３を総称して滑り止めエリア４０とすれば、このエリア４０の区画を明確に視認できるように、色彩線で区画したり、領域全体を彩色したり、突条や溝で囲むなどの標識を設けるのがよい。さらにこのエリア４０は、図６（Ａ）に示すように、インソール２２の表面または外被３０の内面から落ち込んだ窪み４１として形成するのが好ましい。窪み４１の深さＤは、約０．１〜１０ｍｍ程度、好ましくは０．１〜２ｍｍである。そして窪み４１の底面４２は、適度に平坦であるのが好ましい。例えば平均あらさＲｚで５００μｍ以下（基準長さ８ｍｍ）程度、好ましくは２００μｍ以下である。勿論、窪み４１の平面形状は、個々の領域２３〜２５、３１〜３３と同形である。なお、図５に示す窓３１ａを設けた領域３１の場合は、図６（Ｂ）に示すように、窪み４１の周縁が形成する領域３１の外周から内側に一定幅の環状底面４２ａ（３１ｂ、図５）を設けて、貫通窓３１ａを形成する。
【００１７】
前記窪み４１には、図７に示すような滑り止め部材５０が付着される。図７（Ａ）に示すように、滑り止め部材５０は、フレキシブルな基材５１の両面全面に、粘着剤層５２、５３を設けたシート状物である。また、図７（Ｂ）、（Ｃ）に示すように、窓３１ａを有する領域３１に使用する滑り止め部材５０ａは、基材５１の一面全面に粘着剤層５２、他面は環状の粘着剤層５３ａを形成する。この環状粘着剤層５３ａは、前記領域３１の環状帯３１ｂ（図５）に対応している。
【００１８】
前記滑り止め部材５０のフレキシブルな基材５１としては、織布、不織布、編成布、合成樹脂フィルム等の単体または積層体が用いられる。また、粘着剤層５２、５３、５３ａとしては、アクリル系、ポリエステル系、シリコン系粘着剤が好適であるが、特に圧着界面でのせん断応力が大きく、かつ易剥離性の粘着剤を選択するのがよく、ポリエステル系粘着剤がその点から好ましい。なお、粘着剤層５２、５３、５３ａは、全面塗工によって形成してもよいが、点状や格子状等のパートコートによって形成してもよい。
【００１９】
上記滑り止め部材５０、５０ａは、図８に示すように、滑り止めエリア４０の窪み４１に周縁を適合させて貼り付ける。滑り止め部材５０の場合は、図８（Ａ）に示すように、前記のように面あらさを調整した窪み４１の底面４２に、他方の粘着剤層５３を圧着し、一方の粘着剤層５２は、その全体がインソール２０または外被３０から露出させる。従って窪み４１の深さＤ（図６）と、滑り止め部材５０の基材５１及び他方の粘着剤層５３の合計厚みがほぼ等しくなるように調整しておくのが好ましい。他方の粘着剤層５３ａが環状になっている場合を、図８（Ｂ）に示す。図示のように、環状粘着剤層５３ａは、窪み４１の環状底面４２ａ（図６（Ｂ））に圧着される。そして窓３１ａは基材５１によって閉鎖される。
【００２０】
上述のようにして、滑り止めエリア４０に滑り止め部材５０、５０ａを貼り付けたスポーツシューズ１０を素足に装着すると、滑り止め部材５０、５０ａ外面の粘着剤層５２が素足の皮膚に密着する。いま、ランニング中に足のトウ（ｔｏｅ）によって走行面を強く蹴り上げた場合、インソール２２のトウ領域２３（図３）と素足の間に介在する滑り止め部材５０は、強い圧縮力を受け、一方の粘着剤層５２は素足との間でその粘着力によって滑り止め効果を発揮し、他方の粘着剤層５３はインソール２２との間で同様に滑り止め効果を発揮する結果、素足から靴底２０に一体的にキック力が伝達され、効率的なランニングが可能となる。また、急激なターンやボールキックが必要なスポーツなど、スポーツの種類に応じて滑り止めエリア４０を設ける最も効果的な個所、面積、形状等を任意に選択することができるので、そのスポーツに適合したスポーツシューズを製作することができ、さらにオーダーメイドのスポーツシューズを提供することもできる。
【００２１】
なお、滑り止め部材５０、５０ａは着脱自在であるから、シューズ１０をクリニーングする場合等は取り外しておけばよい。勿論、滑り止め部材５０、５０ａが劣化すれば取り換えることができる。この場合、滑り止め部材５０、５０ａの両面に離型紙を貼り付けたシート状部材を用意しておき、これを滑り止めエリア４０の形状に合わせて切断した後、離型紙を剥離して使用することができる。
【００２２】
前述したように、インソール２２の上面に着脱自在の中敷きを重ねて用いることができる。この中敷きは、インソール２２とほぼ同形に形成され、インソール２２に密着して一体的に用いられるのがよい。この場合は、中敷きに、図３に示すようなトウ領域２３、土踏まず先端領域２４、踵領域２５等と同様の滑り止め領域を設ける。この領域に滑り止め部材５０を貼り付けて中敷きをインソール２２内に挿入すればよい。
【００２３】
この考案のスポーツシューズは、所謂スポーツのほか、ジョギング、リハビリテーション用などのシューズにも利用することができる。また、外被３０は足表面全体を被覆するものに限らず、例えば足のつま先部分や足の甲など部分的に被覆するものにも適用することができる。
【符号の説明】
【００２４】
１０  スポーツシューズ
２０  靴底
２１  アウトソール
２２  インソール
２３  トウ領域
２４  土踏まず先端領域
２５  踵領域
３０  外被
３０ａ  はき口
３０ｂ  靴ひも
３１  母趾領域
３１ａ  窓
３１ｂ  環状帯
３２  踵側面領域
３３  甲領域
４０  滑り止めエリア
４１  窪み
４２  底面
４２ａ  環状底面
５０、５０ａ  滑り止め部材
５１  基材
５２  粘着剤層
５３、５３ａ  粘着剤層
Ｄ  窪みの深さ
【図１】
0003230307.tif 000003
【図２】
0003230307.tif 000004
【図３】
0003230307.tif 000005
【図４】
0003230307.tif 000006
【図５】
0003230307.tif 000007
【図６】
0003230307.tif 000008
【図７】
0003230307.tif 000009
【図８】
0003230307.tif 000010